(57)【要約】【課題】背負い袋兼用手提げ袋であって、折り畳み収納が可能であり、バッグに入れて持ち歩く事ができる背負い袋兼用手提げ袋を提供する。【解決手段】収納部と、一組の手提げ部と、ビニール袋とを有し、前記収納部の正面部の上部に一組の背負い紐の各先端を取り付けると共に、この一組の背負い紐の各他端は前記収納部の下部に着脱自在に取り付けている背負い袋兼用手提げ袋であって、三重構成の収納用ポケットを設け、第１ポケットには一組の背負い紐を、第２ポケットには一組の手提げ部及び収納部を、第３ポケットにはビニール袋を、それぞれ収納可能としている背負い袋兼用手提げ袋。【選択図】図２
0003131995.tif 000002
【実用新案登録請求の範囲】
【請求項１】
上端に開口部が設けられた収納部と、
前記開口部の両端で前記収納部に連接する一組の手提げ部と
前記収納部の内側に着脱自在に取り付けるビニール袋とを有し、
前記一組の手提げ部間に位置する前記収納部の正面部の上部に一組の背負い紐の各先端を取り付けると共に、この一組の背負い紐の各他端は前記収納部の下部に着脱自在に取り付けている背負い袋兼用手提げ袋であって、
前記収納部の正面部に第１ポケット、第２ポケット及び第３ポケットを備える三重構成の収納用ポケットを設け、
第１ポケットには一組の背負い紐を、第２ポケットには一組の手提げ部及び収納部を、第３ポケットにはビニール袋を、それぞれ収納可能としている背負い袋兼用手提げ袋。
【考案の詳細な説明】
【技術分野】
【０００１】
本考案は、買い物に使用する手提げ袋であって、背負い袋にもなり、さらに折畳み収納可能にした袋に関するものである。本考案の手提げ袋は布等で作り、背負い紐一組を付け、さらに冷凍物、野菜、魚等を入れる時に装着可能なビニール袋も備えます。
【背景技術】
【０００２】
背負い袋兼用手提げ袋としては、実登３０６４８９６、特開２００１−２０６３８９等があります。これらは折り畳み収納ができません。
【特許文献１】実登３０６４８９６号公報
【特許文献２】特開２００１−２０６３８９号公報
【考案の開示】
【考案が解決しようとする課題】
【０００３】
本考案は、背負い袋兼用手提げ袋であって、折り畳み収納が可能であり、バッグに入れて持ち歩く事ができる背負い袋兼用手提げ袋を提供することを目的としている。
【課題を解決するための手段】
【０００４】
本考案は、上端に開口部が設けられた収納部と、前記開口部の両端で前記収納部に連接する一組の手提げ部と、前記収納部の内側に着脱自在に取り付けるビニール袋とを有し前記一組の手提げ部間に位置する前記収納部の正面部の上部に一組の背負い紐の各先端を取り付けると共に、この一組の背負い紐の各他端は前記収納部の下部に着脱自在に取り付けている背負い袋兼用手提げ袋であって、前記収納部の正面部に第１ポケット、第２ポケット及び第３ポケットを備える三重構成の収納用ポケットを設け、第１ポケットには一組の背負い紐を、第２ポケットには一組の手提げ部及び収納部を、第３ポケットにはビニール袋を、それぞれ収納可能としている背負い袋兼用手提げ袋である。
【考案の効果】
【０００５】
本考案の手提げ袋は、背負い袋として使用出来、さらに折り畳み収納できるので、バッグに入れて持ち歩く事が可能となる。そして、布で作った場合には、好きな柄、ペットの写真をプリントして、背負い袋兼用手提げ袋に仕上げると、自分だけの手提げ袋にすることが出来、又洗濯も出来て清潔に長く使用することが可能となるという利点がある。
【考案を実施するための最良の形態】
【０００６】
本考案の最良の形態を下記の実施例１で示す。
【実施例１】
【０００７】
実施例１の背負い袋兼用手提げ袋１を示す図面について説明する。図１は、背負い紐７、８を収納用ポケット９に収納し、手提げ袋として使用する状態を示す図面。図２は、背負い袋兼用手提げ袋１が背負い紐７、８を手提げ部４ａ、４ｂに通して、背負い紐７、８の各他端７ｂ、８ｂを収納部２の下部に装着して背負い袋の形にした時の図面である。図３は、背負い紐７、８、ビニール袋５、手提げ部４ａ、４ｂ及び収納部２を収納用ポケット９に収納して小さくした手提げ袋の図面であって、第３ポケット９ｃ側から見た図面である。図４は、背負い袋兼用手提げ袋１の正面図であって、背負い紐７、８を延ばした状態を示す図面である。図５は、三重構成の収納用ポケット９を説明するための図面である。図６は、背負い紐７、８、ビニール袋５、手提げ部４ａ、４ｂ及び収納部２を収納用ポケット９に収納して小さくした手提げ袋の図面であって、第１ポケット９ａ側から見た図面である。図７は、背負い紐７、８、ビニール袋５、手提げ部４ａ、４ｂ及び収納部２を収納用ポケット９に収納して小さくした手提げ袋の図面であって、上方側から見た図面である。図８は、ビニール袋５を示す図面である。
【０００８】
図１、図２に示すように、実施例１の背負い袋兼用手提げ袋１は、上端に開口部３が設けられた収納部２と、前記開口部３の両端で前記収納部２に連接する一組の手提げ部４ａ、４ｂと、前記収納部２の内側に着脱自在に取り付けるビニール袋５（図１、図２では図示せず）とを有し、前記一組の手提げ部４ａ、４ｂ間に位置する前記収納部２の正面部６の上部に一組の背負い紐７、８の各先端７ａ、７ｂを取り付けている。この背負い袋兼用手提げ袋１には、ビニール袋５を着脱自在に取り付けることができる面ファスナーで形成している係止片１０ａ、１０ｂを収納部２の内側に備えており、図８に示すビニール袋５の面ファスナーで形成している被係止片１１ａ、１１ｂを、押しつけることで、背負い袋兼用手提げ袋１の内側に、ビニール袋５を着脱自在に取り付けることができる。
【０００９】
そして、この一組の背負い紐７、８の各他端７ｂ、８ｂは前記収納部２の下部に着脱自在に取り付けている。この実施例１の背負い袋兼用手提げ袋１では、一組の背負い紐７、８の各他端７ｂ、８ｂは収納部２の下部に取り付けている背負い紐用ボタン１３ａ、１３ｂに着脱自在に取り付けている。さらに、前記収納部２の正面部６には、三重構成の収納用ポケット９を設けている。
【００１０】
この三重構成の収納用ポケット９は、図５に示すように、第１ポケット９ａ、第２ポケット９ｂ及び第３ポケット９ｃを備えている。そして、第１ポケット９ａには一組の背負い紐７、８を、第２ポケット９ｂには一組の手提げ部４ａ、４ｂ及び収納部２を、第３ポケット９ｃには図８に示すビニール袋５を、それぞれ収納可能としている。そして、図５、図７に示すように第２ポケット９ｂと第３ポケット９ｃは略同じ大きさに、第１ポケット９ａは第２ポケット９ｂより小さく形成している。実施例１の背負い袋兼用手提げ袋１は、布製としていて、第１ポケット９ａ、第２ポケット９ｂ及び第３ポケット９ｃはそれぞれ縫い付けることにより形成している。
【００１１】
実施例１の背負い袋兼用手提げ袋１は、布製であって、手下げ部４ａ、４ｂは、２重構造にすることで、幅広で丈夫な持ち手としている。背負い袋兼用手提げ袋１を、畳み収納する時は、図１に示すように、背負い紐７、８を収納用ポケット９の第１ポケット９ａに収納する。次いで。第２ポケット９ｂの外周を形成している縫い目に合わせて、手提げ部４ａ、４ｂと収納部２を畳んで行く。まず、収納用ポケット９を形成している収納部２の正面部６を下面にし、手提げ部４ａ、４ｂと収納部２を第２ポケット９ｂの両側の外周を形成している縫い目に添って第２ポケット９ｂ側に折る（両側共に）。次に、手提げ部４ａ、４ｂを収納部２の方に折る。そして収納部２を、第２ポケット９ｂの底（開口と反対側）の位置で折返して、収納部２を第２ポケット９ｂと略同じ大きさに整える（折り返す等して）。その後、第２ポケット９ｂに手を入れて引っくり返すことにより、裏返しされた第２ポケット９ｂ内に手提げ部４ａ、４ｂ及び収納部２が収納される。また、ビニール袋５は折畳んで第３ポケット９ｃに収納する。このようにして、背負い紐７、８、ビニール袋５、手提げ部４ａ、４ｂ及び収納部２を収納用ポケット９に収納して小さくした状態を、図３、図６、図７に示している。
【００１２】
また、実施例１の背負い袋兼用手提げ袋１では、図１に示すように、１２ａを係止部、１２ｂを被係止部とする留め具を備えている。係止部１２ａにはボタンを付け、被係止部１２ｂにはボタンホールを形成していて、係止部１２ａと被係止部１２ｂを接続することで、収納部２に入れた商品等が外部に落ちないようにしている。背負い紐７、８の他端７ｂ、８ｂは、収納部２の下部に取り付けている背負い紐用ボタン１３ａ、１３ｂに留めるようにしている。このように、背負い袋兼用手提げ袋１を、布で作った場合には、好きな柄、ペットの写真をプリントして、自分だけの手提げ袋にすることが出来、又洗濯も出来て清潔に長く使用することができる利点がある。        
【００１３】
例えば、スーバーマーケーット、コンビニ、百貨店、旅行のお土産を、買い物し渡される袋は、主にビニール袋と紙袋であるが、それらを貰わずこの実施例１の布製の背負い袋兼用手提げ袋１を使用することは、環境に配慮した優しい袋となる。
【産業上の利用可能性】
【００１４】
本考案は、背負い袋兼用手提げ袋であって、折り畳み収納が可能であり、バッグに入れて持ち歩く事ができる背負い袋兼用手提げ袋に適用できる。
【図面の簡単な説明】
【００１５】
【図１】背負い袋兼用手提げ袋を手提げ袋として使用する状態を示す図面である。
【図２】背負い袋兼用手提げ袋を背負い袋の形にした時の状態を示す図面である。
【図３】収納して小さくした背負い袋兼用手提げ袋の図面であって、第３ポケット側から見た図面である。
【図４】背負い袋兼用手提げ袋の正面図であって、背負い紐を延ばした状態を示す図面である。
【図５】三重構成の収納用ポケットを説明するための図面である。
【図６】収納して小さくした背負い袋兼用手提げ袋の図面であって、第１ポケット側から見た図面である。
【図７】収納して小さくした背負い袋兼用手提げ袋の図面であって、上方側から見た図面である。
【図８】ビニール袋を示す図面である。
【符号の説明】
【００１６】
１            背負い袋兼用手提げ袋
２            収納部
３            開口部
４ａ、４ｂ    手提げ部
５            ビニール袋
６            収納部の正面部
７、８        背負い紐
７ａ、８ａ    先端
７ｂ、８ｂ    他端
９            収納用ポケット
９ａ          第１ポケット
９ｂ          第２ポケット
９ｃ          第３ポケット
１０ａ、１０ｂ係止片
１１ａ、１１ｂ被係止片
１２ａ        係止部
１２ｂ        被係止部
１３ａ、１３ｂ背負い紐用ボタン
【図１】
0003131995.tif 000003
【図２】
0003131995.tif 000004
【図３】
0003131995.tif 000005
【図４】
0003131995.tif 000006
【図５】
0003131995.tif 000007
【図６】
0003131995.tif 000008
【図７】
0003131995.tif 000009
【図８】
0003131995.tif 000010